(57)【要約】      （修正有）【課題】  カードスタッカ内に蓄積されているカードの種類および枚数を把握できることによりカードの正確な種類および補給枚数を判断できるようにする。【解決手段】  カードスタッカ５の前部６には、カードスタッカ５内に蓄積されているカードの種類および枚数を記憶するメモリと接触片とを有する基板１２が設けられている。この基板１２を覆うように係合部材１５がカードスタッカ５の前部６に設けられており、この係合部材１５の下端部は係合部１５ｂを形成している。フロントパネル１７には、被係合部材４０が軸４３を介して回転自在に支持されており、この被係合部材４０には、位置決め部材１０が位置決め用凹部３ａに嵌合する際に係合する被係合部１５ｂが設けられている。被係合部材４０には、この被係合部材４０が回動することにより、基板１２の接触片に接触する端子４５が設けられている。【選択図】  図４
2007261767.tif 000002
【特許請求の範囲】
【請求項１】
多数枚のカードを積層状態で蓄積したカードスタッカを基台に着脱自在に取り付けるカードスタッカの着脱構造において、
前記カードスタッカと前記基台とに設けられカードスタッカを基台に取り付けるための位置決め手段と、
前記カードスタッカに設けられカードの種類および蓄積枚数を記憶するメモリと接触片とを有する基板ならびに係合部材と、
前記基台に回転自在に支持され前記位置決め手段によってカードスタッカが位置決めされることによって前記係合部材と係合して回動する被係合部材と、
この被係合部材に設けられ被係合部が前記係合部材と係合し回動することによって前記接触片と接触する端子を有するコネクタとを備えたことを特徴とするカードスタッカの着脱構造。
【請求項２】
前記基台に前記カードスタッカの両側部が摺接しカードスタッカを案内する互いに対向する一対の案内板を立設し、
前記位置決め手段を、前記案内板に設けた上方が開口する位置決め用凹部と、前記カードスタッカの両側部に設けた前記位置決め用凹部に嵌合する位置決め用部材とによって構成し、
前記カードスタッカを前記基台の上方から前記案内板間に嵌装することによって基台に取り付けることを特徴とする請求項１記載のカードスタッカの着脱構造。
【請求項３】
前記端子は前記コネクタに進退自在に支持され、進出する方向に付勢されていることを特徴とする請求項１または２記載のカードスタッカの着脱構造。
【請求項４】
前記接触片は前記基板に弾性変形可能に支持されていることを特徴とする請求項１または２記載のカードスタッカの着脱構造。
【発明の詳細な説明】
【技術分野】
【０００１】
本発明は、積層状態で蓄積された多数枚のカードを一枚ずつ送り出すカードスタッカを基台に着脱自在に取り付けるカードスタッカの着脱構造に関するものである。
【背景技術】
【０００２】
従来のカードスタッカの着脱構造としては、多数枚のカードを積層状態で蓄積するカードスタッカと、このカードスタッカが着脱自在に取り付けられる基台と、この基台にカードスタッカが取り付けられた状態で、カードスタッカに蓄積されたカードを１枚ずつ送り出す送り出し手段とが備えられたものがある（例えば、特許文献１参照）。
【特許文献１】特開２００５−７８５２４号公報（段落「００１９」および「００２０」、図２および図３）
【発明の開示】
【発明が解決しようとする課題】
【０００３】
上述した従来のカードスタッカの着脱構造においては、カードスタッカに蓄積されていたカードが１枚ずつ送り出された後、カードスタッカ内に蓄積されているカードの種類および残量数を記憶しておく手段が備えられていない。このため、次に、同じカードスタッカを使ってカードの送り出し作業を行おうとするときに、カードスタッカ内に蓄積されているカードの種類および残量数が把握できないために、カードスタッカ内に補給すべきカードの正確な種類および残量数を判断することができないという問題があった。
【０００４】
本発明は上記した従来の問題に鑑みなされたものであり、その目的とするところは、カードスタッカ内に蓄積されているカードの種類および残量数を把握できることによりカードの正確な種類および補給残量数を判断できるカードスタッカの着脱構造を提供するところにある。
【課題を解決するための手段】
【０００５】
この目的を達成するために、請求項１に係る発明は、多数枚のカードを積層状態で蓄積したカードスタッカを基台に着脱自在に取り付けるカードスタッカの着脱構造において、前記カードスタッカと前記基台とに設けられカードスタッカを基台に取り付けるための位置決め手段と、前記カードスタッカに設けられカードの種類および蓄積枚数を記憶するメモリと接触片とを有する基板ならびに係合部材と、前記基台に回転自在に支持され前記位置決め手段によってカードスタッカが位置決めされることによって前記係合部材と係合して回動する被係合部材と、この被係合部材に設けられ被係合部が前記係合部材と係合し回動することによって前記接触片と接触する端子を有するコネクタとを備えたものである。
【０００６】
請求項２に係る発明は、請求項１に係る発明において、前記基台に前記カードスタッカの両側部が摺接しカードスタッカを案内する互いに対向する一対の案内板を立設し、前記位置決め手段を、前記案内板に設けた上方が開口する位置決め用凹部と、前記カードスタッカの両側部に設けた前記位置決め用凹部に嵌合する位置決め用部材とによって構成し、前記カードスタッカを前記基台の上方から前記案内板間に嵌装することによって基台に取り付けることを特徴とするものである。
【０００７】
請求項に３係る発明は、請求項１または２に係る発明において、前記端子は前記コネクタに進退自在に支持され、進出する方向に付勢されていることを特徴とするものである。
【０００８】
請求項４に係る発明は、請求項１または２に係る発明において、前記接触片は前記基板に弾性変形可能に支持されていることを特徴とするものである。
【発明の効果】
【０００９】
請求項１に係る発明によれば、カードスタッカを基台に取り付けると、カードスタッカ内に蓄積されているカードの種類および残量数を記憶しているメモリ用素子が実装された基板の接触片と、基台側のコネクタの端子とが電気的に接続される。このため、基板に電源が供給されカードスタッカ内に蓄積されているカードの種類および残量数を表示することができるから、操作者はカードスタッカに補給すべきカードの正確な種類および残量数を把握することができ使い勝手が向上する。
【００１０】
請求項２に係る発明によれば、案内板間に嵌装されたカードスタッカは、位置決め用部材が位置決め用凹部内に嵌合して基台に取り付けられるまで、案内板によって案内されながら自重によって下方に移動するため作業性が向上する。
【００１１】
請求項３および４に係る発明によれば、端子が接触片に接触する際に、端子が付勢手段の付勢力に抗して後退するか接触片が弾性変形するため、接触不良が起きるようなことがなく、また端子および接触片が破損するようなことがない。
【発明を実施するための最良の形態】
【００１２】
以下、本発明の実施の形態を図に基づいて説明する。図１は本発明に係るカードスタッカの着脱構造に使用する基台を示し、同図（Ａ）は正面図、同図（Ｂ）は側面図、図２は同じくカードスタッカを示し、同図（Ａ）は正面図、同図（Ｂ）は側面図、図３は同じくカードスタッカを基台に取り付けた状態を示す側面図、図４は同じくカードスタッカを基台に取り付ける直前の状態を示す要部を拡大して示す側面図、図５はカードスタッカからカードを１枚ずつ送り出すカード送り出し装置を示す側面図である。
【００１３】
図１において、１は後述するカードスタッカ５を取り付けるための基台であって、中央部に後述するカード送り出し手段２５の移動部材２６が臨む矢印Ａ−Ｂ方向に延在する長方形に形成された窓１ａが設けられている。この基台１の矢印Ｃ−Ｄ方向の両端部には、一対の脚部材２，２が互いに対向するように取り付けられており、これら脚部材２，２の下端部を床等に載置することにより、基台１は水平状態に保持される。３，３は基台１の矢印Ｃ−Ｄ方向の両側から互いに対向するように立設された一対の案内板であって、同図（Ｂ）に示すように上方が開口した矩形状の位置決め用凹部３ａ，３ａが設けられている。
【００１４】
図２において、５は後部５ａが開口された箱状に形成されたカードスタッカであって、後部５ａには開閉自在な扉８が設けられており、この扉８を開放することにより、カードをカードスタッカ５内に供給することが可能になる。また、このカードスタッカ５の前板６の下部には、矢印Ｃ−Ｄ方向に延在しカードが通過可能なスリット状の切欠き６ａが設けられており、底板７には、カード送り出し手段２５の移動部材２６が臨む矢印Ａ−Ｂ方向に延在する窓７ａが設けられている。
【００１５】
図４において、１０，１０はカードスタッカ５の両側板９，９に設けられた偏平な直方体状に形成された位置決め用部材であって、このカードスタッカ５を基台１に取り付ける際に位置決め用凹部３ａ，３ａに嵌合することにより、カードスタッカ５が基台１の所定位置に位置決めされる。したがって、これら位置決め用部材１０と位置決め用凹部３ａとが位置決め手段１１を構成している。
【００１６】
１２はカードスタッカ５の前板６の上部に取り付けられ複数の接触片１３を有する基板であって、カードスタッカ５内に蓄積されているカードの種類および残量数を記憶するメモリ用素子（図示せず）が実装されている。１５は基板１２を覆うように前板６に取り付けられ断面がコ字状に形成された係合部材であって、基板１２を露呈させる窓１５ａが設けられており、折曲げ形成された下部１５ｂは後述する被係合部材４０の被係合部４０ｂに係合する係合部を形成している。
【００１７】
次に、図５を用いて、カードスタッカ５からカードを１枚ずつ送り出すカード送り出し手段について説明する。同図において、１７は基台１の矢印Ａ側の端部に立設されたフロントパネルである。基台１の前板１ｂには、載置板１８が水平状態となるように固定されており、この載置板１８上には、基台１上に設置されたスタッカ５内に積層されたカード２０の前端側が載置される。２１はゲージ板であって、このゲージ板２１と載置板１８との間には、スリット状に形成されたカード排出口２２が設けられており、このカード排出口２２の高さ方向の寸法は、カード２０の１枚の厚みよりも大きく、かつカード２０の２枚の厚みよりも小さく形成されている。
【００１８】
２５はカードスタッカ５からカード２０を１枚ずつ送り出すカード送り出し手段であって、カード２０の後端に係合する爪部２６ａを有する移動部材２６と、移動部材２６を矢印Ａ−Ｂ方向へ移動させるモータ２７とによって概ね構成されている。２８は基台１に固定されたブラケットであって、前端部と後端部とが互いに対向するように折り曲げられることにより折曲部２８ａ，２８ａが設けられており、中央部には矢印Ａ−Ｂ方向に延在する長方形の窓２８ｂが設けられている。このブラケット２８の折曲部２８ａ，２８ａ間にはガイドバー２９が支架されており、移動部材２６は支持板３０およびガイドブロック３１を介してガイドバー２９に矢印Ａ−Ｂ方向に移動自在に支持されている。
【００１９】
３２は扁平な直方体状に形成された移動子であって、ガイドブロック３１の一方の側部に固定されており、上下方向に延在する被駆動溝３２ａが凹設されている。モータ２７は外側板３１に固定されており、出力軸３３には駆動子３４の一端側が軸着されており、駆動子３４の他端側には、移動子３２の被駆動溝３２ａに係入したピン３５が植設されている。したがって、モータ２７を駆動することによって出力軸３３が反時計方向へ１８０°回動すると、駆動子３４を介してピン３５が出力軸３３を回動中心として１８０°反時計方向に回動するため、移動子３２が矢印Ａ方向へ移動するから移動部材２６も矢印Ａ方向へ移動する。
【００２０】
この移動によって、カードスタッカ５に積層されているカード２０のうち最下層に位置するカード２０が、移動部材２６の爪部２６ａによって矢印Ａ方向へ搬送され、カード排出口２２からカードを搬送する駆動ローラ３６とピンチローラ３７との間に送り出される。さらに出力軸３３が１８０°反時計方向に回転すると、駆動子３４を介してピン３５が出力軸３３を回転中心として、さらに１８０°反時計方向に回転するため、矢印Ａ方向へ移動した移動子３２が矢印Ｂ方向へ移動するから移動部材２６も矢印Ｂ方向へ移動し初期位置に戻る。
【００２１】
次に、図１および図４を用いて、コネクタ４１の支持構造について説明する。フロントパネル１７の上部には、図１に示すように上方が開口され正方形に形成された凹部１７ａが設けられており、この凹部１７ａには、カードスタッカ５を基台１に取り付ける際に上記した係合部材１５が進入する。４０はコネクタ４１が取り付けられた被係合部材であって、図４に示すようにフロントパネル１７に設けた互いに対向する支持部材４２，４２間に横架された軸４３に下部側が回転自在に支持されている。
【００２２】
この被係合部材４０は、図示を省略した付勢部材によって軸４３を回動中心として図中反時計方向に付勢されており、下端部の角部４０ａがフロントパネル１７に当接することによって反時計方向の回動が規制されている。したがって、この被係合部材４０の上部側は、カードスタッカ５が基台１に取り付けられていない図１（Ｂ）に示す状態では、フロントパネル１７の凹部１７ａから離間している。
【００２３】
また、この被係合部材４０には、カードスタッカ５を基台１に取り付ける際に係合部材１５が凹部１７に進入することにより、係合部材１５の係合部１５ｂが係合する被係合部４０ｂが設けられている。したがって、係合部材１５が凹部１７に進入し、係合部材１５の係合部１５ｂが被係合部４０ｂに係合することにより、被係合部材４０は付勢部材の付勢力に抗して軸４３を回動中心として時計方向に回動する。この回動によって、被係合部材４０に設けられたコネクタ４１の端子４５が上記した基板１５の接触片１３に接触し、基板１５に電力が供給される。また、端子４５はコネクタ４１に進退自在に支持され、図示を省略した付勢手段の付勢力によって進出する方向に付勢されている。
【００２４】
次に、このように構成されたカードスタッカの着脱構造において、カードスタッカ５を基台１に取り付ける作業について説明する。カードスタッカ５が基台１に取り付けられていないときは、プロントパネル１７に回転自在に支持されている被係合部材４０の上部側は、図１（Ｂ）に示す状態では、フロントパネル１７の凹部１７ａから離間している。この状態で、カードスタッカ５を基台１の上方から案内板３，３間に嵌装すると、カードスタッカ５は自重により両側部９，９が案内板３，３に摺接しながら下方に案内される。
【００２５】
カードスタッカ５の位置決め用部材１０，１０が案内板３，３の位置決め用凹部３ａ，３ａに嵌合することによって、カードスタッカ５は基台１の所定位置に取り付けられる。このように、案内板３，３間に嵌装されたカードスタッカ５は、位置決め用部材１０が位置決め用凹部３ａ内に嵌合して基台１に取り付けられるまで、案内板３，３によって案内されながら自重によって下方に移動するため作業性が向上する。
【００２６】
また、位置決め用部材１０が位置決め用凹部３ａ内に嵌合するとき、係合部材１５の係合部１５ｂが被係合部材４０の被係合部４０ｂに係合し、被係合部材４０は図示を省略した付勢手段の付勢力に抗して、軸４３を回動中心として図４中時計方向に回動する。そして、カードスタッカ５が基台１に取り付けられると、コネクタ４１が、図３に示すように基板１２に対接し、コネクタ４１の端子４５が基板１２の接触片１３に接触するので、基板１２に電力が供給される。
【００２７】
ここで、端子４５がコネクタ４１に進退自在に支持され、図示を省略した付勢手段の付勢力によって進出する方向に付勢されているため、端子４５が接触片１３に接触する際に、端子４５が付勢手段の付勢力に抗してわずかに後退する。このため、端子４５と接触片１３との間の接触不良が起きるようなことがなく、また端子４５または接触片１３を破損するようなこともない。端子４５が接触片１３に接触すると、基板１２に実装されている図示を省略したメモリ用素子に記憶されているカードスタッカ５内に蓄積されているカード２０の種類および残量数が表示部（図示せず）に表示される。
【００２８】
操作者は、表示部に表示されたカード２０の種類および残量数に基づき必要とする種類のカード２０を所定枚数カードスタッカ５内に補給する。このように、操作者はカードスタッカ５に補給すべきカード２０の種類および残量数を正確に把握することができるから使い勝手が向上する。
【００２９】
カード２０の送り出しを行うために、モータ２７を駆動することによって、図５に示すように出力軸３３を反時計方向へ１８０°回動させると、駆動子３４を介してピン３５が出力軸３３を回動中心として１８０°反時計方向に回動するため、移動子３２が矢印Ａ方向へ移動するから移動部材２６も矢印Ａ方向へ移動する。この移動によって、スタッカ５に積層されているカード２０のうち最下層に位置するカード２０が、移動部材２６の爪部２６ａによって矢印Ａ方向へ搬送され、カード排出口２２から駆動ローラ３６とピンチローラ３７との間に送り出される。駆動ローラ３６とピンチローラ３７との間に送り出されたカード２０は、これら両ローラ３６，３７とによって矢印Ａ方向に搬送され、図示を省略した印刷部において印刷された後に排出される。
【００３０】
所定枚数のカードの送り出し作業が終了したら、カードスタッカ５を図３の状態から上方に持ち上げることにより、カードスタッカ５を基台１から取り外す。取り外されたカードスタッカ５の基板１２に実装されているメモリ用素子には、カードスタッカ５内に蓄積されているカード２０の種類および残量数が記憶されている。また、カードスタッカ５を基台１から取り外すとき、係合部材１５の係合部１５ｂと被係合部材４０の被係合部４０ｂとの係合が解除されることにより、被係合部材４０は図示を省略した付勢手段の付勢力によって、軸４３を回動中心として図４中反時計方向に回動する。
【００３１】
このように、コネクタ４１が基板１２から離間するため、上方に移動する係合部材１５がコネクタ４１の端子４５に接触しないから係合部材１５によって端子４５を破損させてしまうようなことがない。また、端子４５がコネクタ４１に進退自在に支持され、図示を省略した付勢手段の付勢力によって進出する方向に付勢されているため、仮に、上方に移動する係合部材１５がコネクタ４１の端子４５に接触したとしても、端子４５が付勢手段の付勢力に抗してわずかに後退するため、端子４５を破損するようなことはない。
【００３２】
なお、本実施の形態においては、端子４５をコネクタ４１に進退自在に支持し、進出する方向に付勢するようにしたが、接触片１３を弾性変形可能な金属片によって側面視クランク状に形成し、基端部を片持ち支持によって基板１２に取り付け、揺動端部を端子４５に接触させるようにしてもよく、この場合は必ずしも端子４５をコネクタ４１に進退自在に支持する必要はない。
【図面の簡単な説明】
【００３３】
【図１】本発明に係るカードスタッカの着脱構造に使用する基台を示し、同図（Ａ）は正面図、同図（Ｂ）は側面図である。
【図２】本発明に係るカードスタッカの着脱構造に使用するカードスタッカを示し、同図（Ａ）は正面図、同図（Ｂ）は側面図である。
【図３】本発明に係るカードスタッカの着脱構造に使用するカードスタッカを基台に取り付けた状態を示す側面図である。
【図４】本発明に係るカードスタッカの着脱構造において、カードスタッカを基台に取り付ける直前の状態を示す要部を拡大して示す側面図である。
【図５】本発明に係るカードスタッカの着脱構造において、カードスタッカからカードを１枚ずつ送り出すカード送り出し装置を示す側面図である。
【符号の説明】
【００３４】
１…基台、３…案内板、３ａ…位置決め用凹部、５…カードスタッカ、９…側部、１０…位置決め用部材、１２…基板、１３…接触片、１５…係合部材、１５ｂ…係合部、１７ａ…凹部、２５…カード送り出し手段、２７…モータ、２６…移動部材、２６ａ…爪部、２２…カード排出口、３６…駆動ローラ、３７…ピンチローラ、４０…被係合部材、４０ｂ…被係合部、４１…コネクタ、４３…軸、４５…端子。
【図１】
2007261767.tif 000003
【図２】
2007261767.tif 000004
【図３】
2007261767.tif 000005
【図４】
2007261767.tif 000006
【図５】
2007261767.tif 000007